(57)【要約】【課題】塵埃廃棄時の使い勝手を向上させることができる電気掃除機を提供する。【解決手段】塵埃収容部３０は、集塵ケース４０と、集塵ケース４０の上部に設けられた可動式のハンドル６１と、集塵ケース４０内に溜まった塵埃を外部に排出させる際に開閉する蓋部５０と、を備え、蓋部５０によって開閉される集塵ケース４０の開口面Ｍ１は、集塵ケース４０の塵埃導入方向と略平行であり、蓋部５０で集塵ケース４０を閉じているときの塵埃収容部３０の重心Ｇは、ハンドル６１の前板部６１ａとハンドル６１の回動軸Ｓ１との間に位置している。【選択図】図１０
2013220213.tif 000002
【特許請求の範囲】
【請求項１】
掃除機本体に着脱可能な塵埃収容部を備え、
前記塵埃収容部は、集塵ケースと、前記集塵ケースの上部に設けられた可動式のハンドルと、前記集塵ケース内に溜まった塵埃を外部に排出する際に開放させる蓋部と、を備え、
前記蓋部によって開閉される前記集塵ケースの開口面は、前記集塵ケースの塵埃導入方向と略平行であり、
前記蓋部で前記集塵ケースを閉じているときの前記塵埃収容部の重心は、前記ハンドルの持ち手部と前記ハンドルの回動軸との間に位置していることを特徴とする電気掃除機。
【請求項２】
前記塵埃収容部は、前記掃除機本体に装着されたときの前記開口面が鉛直方向に対して上向きに設定され、前記掃除機本体から取り外されたときの前記開口面が鉛直方向に対して下向きとなるように設定されていることを特徴とする請求項１に記載の電気掃除機。
【請求項３】
前記集塵ケース内には、前記開口面に向けて開放する集塵かごが設けられ、
前記蓋部が開いて前記開口面が開放したときに、前記集塵かごの開放面が前記開口面に対して下向きに設定されることを特徴とする請求項１または請求項２に記載の電気掃除機。
【請求項４】
前記塵埃収容部は、前記掃除機本体と係合する係合部を有し、
前記係合部は、前記ハンドルの操作に連動して前記掃除機本体との係合状態が解除されることを特徴とする請求項１から請求項３のいずれか１項に記載の電気掃除機。
【発明の詳細な説明】
【技術分野】
【０００１】
本発明は、掃除機本体から着脱可能な塵埃収容部を備えた電気掃除機に関する。
【背景技術】
【０００２】
サイクロン方式の電気掃除機は、吸口から吸込んだ塵埃を含む空気を遠心力によって空気と塵埃とに分離する塵埃分離部と、分離した塵埃を収容する塵埃収容部とを備えている。このような塵埃収容部を備えた電気掃除機は、塵埃収容部に溜まった塵埃を排出する際に開閉される蓋を備えている（特許文献１参照）。
【先行技術文献】
【特許文献】
【０００３】
【特許文献１】特開２００７−２４４４７７号公報
【発明の概要】
【発明が解決しようとする課題】
【０００４】
しかしながら、特許文献１に記載の電気掃除機では、塵埃収容部内の塵埃を床面に置かれたごみ箱に廃棄する際、塵埃収容部の上部に設けられた取っ手（把手）を持って塵埃収容部の蓋を開いたときの塵埃収容部の開口面が前方を向いているため、塵埃を廃棄し難いものであった。
【０００５】
本発明の目的は、塵埃廃棄時の使い勝手を向上させることができる電気掃除機を提供することにある。
【課題を解決するための手段】
【０００６】
本発明は、掃除機本体に着脱可能な塵埃収容部を備え、前記塵埃収容部は、集塵ケースと、前記集塵ケースの上部に設けられた可動式のハンドルと、前記集塵ケース内に溜まった塵埃を外部に排出する際に開放させる蓋部と、を備え、前記蓋部によって開閉される前記集塵ケースの開口面は、前記集塵ケースの塵埃導入方向と略平行であり、前記蓋部で前記集塵ケースを閉じているときの前記塵埃収容部の重心は、前記ハンドルの持ち手部と前記ハンドルの回動軸との間に位置していることを特徴とする。
【発明の効果】
【０００７】
本発明によれば、塵埃廃棄時の使い勝手を向上させることができる電気掃除機を提供できる。
【図面の簡単な説明】
【０００８】
【図１】本発明の一実施形態に係る電気掃除機の全体を示す外観斜視図である。
【図２】サイクロン集塵装置を示す正面図である。
【図３】塵埃収容部を示す外観斜視図である。
【図４】塵埃収容部を示す平面図である。
【図５】蓋部を開放させたときの塵埃収容部を示す斜視図である。
【図６】図２のＡ−Ａ断面図である。
【図７】塵埃収容部の上カバーを上方から見たときの分解斜視図である。
【図８】塵埃収容部の上カバーを下方から見上げたときの分解斜視図である。
【図９】塵埃収容部の一部分解斜視図である。
【図１０】（ａ）は図４のＢ−Ｂ線断面図、（ｂ）は図４のＣ−Ｃ線断面図である。
【図１１】蓋を開放したときの塵埃収容部を図４のＢ−Ｂ線に対応する位置で切断したときの断面図である。
【図１２】蓋を開放したときの塵埃収容部を図４のＣ−Ｃ線に対応する位置で切断したときの断面図である。
【発明を実施するための形態】
【０００９】
図１は、本発明の一実施形態に係る電気掃除機の全体を示す外観斜視図である。
電気掃除機１００は、掃除機本体１、吸引ホース２、手元ハンドル３、手元操作部４、延長管６、吸口体７、サイクロン集塵装置１０、掃除機本体１を自在に移動できる車輪１１などを備えている。
【００１０】
掃除機本体１は、吸引ホース２を取り付けるホース取り付け口１２、吸引力を発生させる電動送風機（不図示）などを備えている。なお、図示していないが，掃除機本体１の外郭をなす本体ケースの内側には，電力を供給するためのコードリールが設けられている。
【００１１】
手元操作部４に設けられた操作ボタン５のうちの電源ボタンが使用者によってＯＮされると，電動送風機（不図示）が作動し、吸引力を発生する。吸口体７から吸込まれた空気および空気と共に吸込まれた塵埃は、延長管６、吸引ホース２、掃除機本体１の順に導かれる。
【００１２】
図２は、サイクロン集塵装置を示す正面図である。
サイクロン集塵装置１０は、塵埃分離部２０と、塵埃収容部３０と、を有し、塵埃分離部２０と塵埃収容部３０とに分割できる形態である。塵埃収容部３０は、塵埃分離部２０よりも上部に位置している。
【００１３】
塵埃収容部３０は、集塵ケース４０と、この集塵ケース４０に開閉可能に取り付けられた蓋部５０と、手で把持する部分を有するハンドル６１と、蓋部５０を開放するための解除ボタン６２と、を有している。なお、図２では、サイクロン集塵装置１０を鉛直方向に起立させた状態で図示しているが、実際の使用状態では、図１に示すように、サイクロン集塵装置１０を下側が上側よりも掃除機本体１の前方に位置するように掃除機本体１に対して傾斜した状態で装着される。
【００１４】
図３は、塵埃収容部を示す外観斜視図である。
塵埃収容部３０は、略筒形状を呈し、集塵ケース４０の前方に蓋部５０が設けられている。また、塵埃収容部３０は、集塵ケース４０および蓋部５０の上部に、ハンドル６１および解除ボタン６２を備えた上カバー６０を備えている。上カバー６０の周面は、集塵ケース４０の左側面４０ｃ（図２参照）、右側面４０ｄおよび蓋部５０外面に沿う扁平形状を呈し、かつ、前後にかけて前側が後側よりも低くなるように傾斜している。
【００１５】
図４は、塵埃収容部を示す平面図である。
塵埃収容部３０の上カバー６０には、平面視において略矩形状のハンドル６１が設けられるとともに、ハンドル６１の前方に解除ボタン６２が設けられている。ハンドル６１は、使用者の手（指）を掛ける前板部６１ａを有している。解除ボタン６２は、押下げ操作されることで、蓋部５０（図３参照）が開放する。
【００１６】
このように、ハンドル６１の前方近傍に蓋部５０のロックを解除する解除ボタン６２を設けることにより、ハンドル６１の前板部（持ち手部）６１ａに対して、後方から手の平を上にして指を挿入したとき、あるいは前方から手の甲を上にして指を掛けるように挿入したときのどちらであっても、解除ボタン６２を例えば親指で押すことができ、塵埃収容部３０の取り扱い性を向上できる。
【００１７】
図５は、蓋部を開放させたときの塵埃収容部を示す斜視図である。
集塵ケース４０は、前部に略矩形状を呈する開口部４０ｓが形成されている。なお、この開口部４０ｓによって形成される開口を含む面が開口面Ｍ１に相当する。
【００１８】
また、集塵ケース４０には、集塵かご４１と集塵フィルタ４３（図６参照）が内包されている。
【００１９】
集塵かご４１は、断面視（側面視）において略台形状を呈し、上下に分割された上容器（支骨）４１ａと下容器（支骨）４１ｂとが後部の蝶番４１ｃ（図６参照）を介して連結され、ゴミ捨て時には、上容器４１ａと下容器４１ｂが蝶番４１ｃ（図６参照）により上下方向に開きながら、下容器４１ｂの下端に設けられた軸４１ｄ（一方のみ図示）を中心として回動するようになっている。なお、軸４１ｄは、集塵ケース４０の左右側面４０ｃ，４０ｄ（図２参照）の内壁面に回動自在に支持されている。なお、集塵かご４１は、凹面が開口部４０ｓ側を向いていればよく、それ以外の形状が特に限定されるものではない。
【００２０】
また、集塵かご４１の前後方向の断面形状は、略四角形状であってもよいし、略円形状であってもよいし、略三角形状であってもよい。好ましくは、開口する側（前側）から底面側（後側）へ向けて断面が小さくなるように形成されているのがよい。このように形成することによって、塵埃が排出される側（開口側）に向けて断面積が拡がるため、使用者は、集塵かご４１内に堆積した塵埃を容易に排出することができる。
【００２１】
また、集塵かご４１は、枠体４１ｅ（支骨）を有しており、開口を除く底面、上下左右面に、金属やナイロン等からなるメッシュ部材４１ｆ（一部のみ図示）が被覆、貼着またはインサート成形などにより構成されている。このように、集塵かご４１の底面だけでなく、上下左右面にも通気性を持たせることによって、集塵かご４１の底面に塵埃が堆積しても流路を確保することができる。これにより、吸い込み空気の圧力損失を低減し、吸引力の低下を抑制することができる。
【００２２】
蓋部５０は、集塵ケース４０の前側の開口部４０ｓ（開口面Ｍ１）を開閉するものであり、蓋部５０内に、集塵かご４１に対して凹面が互いに対向するように形成された凹部５２が形成されている。なお、凹部５２の開口部５２ａの開口面積は、集塵かご４１の開口面積と略同じに形成されている。
【００２３】
凹部５２の傾斜面（底面）５２ａ１には、弾性材からなる扁平な逆止弁５３が設けられている。
【００２４】
また、蓋部５０の下部は、ヒンジ部５４を介して集塵ケース４０の下部と回動可能に連結されている。これにより、蓋部５０は、集塵ケース４０の開口面Ｍ１に対して開口面Ｍ１から離れる方向に下向きに回動するように構成されている。
【００２５】
図６は、図２のＡ−Ａ断面図である。
集塵ケース４０は、上面４０ａ、底面４０ｂ、左側面４０ｃおよび右側面４０ｄ（図３参照）を有する略四角筒状に形成され、前側（正面側）と後側（背面側）とがそれぞれ開口する開口部４０ｓ，４０ｆを有している。
【００２６】
集塵かご４１は、集塵ケース４０の底側の前部に設けられた支持部４２に回動自在に連結されている。支持部４２には、ねじりコイルばね４２ａ（図１０参照）が設けられ、ねじりコイルばね４２ａ（図１０参照）の付勢力によって集塵ケース４０の前方へ集塵かご４１が飛び出すように構成されている（図５参照）。このとき、集塵ケース４０から集塵かご４１が飛び出す勢いにより、集塵かご４１に捕集した塵埃を例えばごみ箱に排出することができる。
【００２７】
メッシュ部材４１ｆは、通気性があり、塵埃を捕集するフィルタ機能を有する。なお、塵埃を捕集するフィルタ機能を有するものであれば、メッシュ部材４１ｆの代わりに使い捨てのティッシュペーパでもよいし、メッシュ部材４１ｆとティッシュペーパとを組み合わせてもよい。メッシュ部材４１ｆの上にティッシュペーパを装着して使用することにより、集塵かご４１内のごみ捨て処理が容易になる。
【００２８】
図６に示すように、蓋部５０には、凹部５２と接続される連絡路５１が下方に延びて形成されている。連絡路５１は、下方の塵埃分離部２０側に向けて延び、底面５０ａに形成された開口５０ａ１に接続されている。この連絡路５１は、集塵ケース４０の開口部４０ｓ（開口面Ｍ１）に対して略平行に延びているが、蓋部５０に設けられた凹部５２によって、空気の流れを開口面Ｍ１の方向に転向させることができるようになっている。この凹部５２は、流れを整流するために設けられている。なお、凹部５２は、図示したような断面が台形となるような形状でもよいし、凹部５２の上部を断面視円弧状にしてより整流させることも可能である。つまり、凹部５２は、集塵かご４１の開口面Ｍ１に向かって拡大する断面形状である。
【００２９】
このように本実施形態では、集塵ケース４０の開口面Ｍ１が、連絡路５１の塵埃の導入方向（塵埃導入方向）と略平行になるように構成されている。
【００３０】
また、逆止弁５３は、凹部５２の連絡路５１が接続される面に設けられ、連絡路５１側から凹部５２側への流れのみを許容するようになっている。ちなみに、逆止弁５３は、凹部５２の連絡路５１と連通する面（下面）である傾斜面５２ａ１に取り付けられているが、このように凹部５２を断面台形状にすると、連絡路５１の出口を水平にした場合よりも出口の開口面積を大きくすることができ、逆止弁５３を凹部５２に固定する際の固定部を十分に確保できる。
【００３１】
また、逆止弁５３を固定する際の固定部は，集塵かご４１側に設けるとよい。これにより、電気掃除機１００（図１参照）の運転を終了したときに、砂などの重い細かな塵埃が、塵埃分離部２０に落下するのを防止できる。
【００３２】
また、蓋部５０の上面５０ｂには、後記するロック部材６６と係合する鉤状の被係合突起５６が形成されている。
【００３３】
なお、蓋部５０の正面は、透明な樹脂などで構成することで、蓋部５０を閉じたまま集塵かご４１に堆積する塵埃を確認できるようになっている。
【００３４】
なお、塵埃分離部２０は、略円筒形状を呈する外筒２１を有し、この外筒２１の軸方向の下端面に、ホース取り付け口１２（図１参照）と接続される入口管２２が形成されている。
【００３５】
外筒２１内には、入口管２２と連通する導入部２３、塵埃収容部３０の集塵ケース４０と連通する内筒２４、導入部２３と内筒２４とを連通させて、ホース取り付け口１２から掃除機本体１内に流入した空気および空気とともに吸込まれた塵埃を旋回させる旋回路２５が設けられている。また、内筒２４には、複数の貫通孔２４ａが形成されている。また、外筒２１の外周側には、旋回路２５と蓋部５０（連絡路５１）とを連通させる連絡路２６が形成されている。
【００３６】
なお、内筒２４の貫通孔２４ａは，金属やナイロンやポリエステルなどで構成されたメッシュ部材が、被覆またはインサート成形などにより貼着されていてもよい。また、菌の繁殖を抑制できるように、抗菌作用のある金属（例えば，銀）や抗菌物質（例えば，銀）を含有するあるいは塗布された金属（例えば，ステンレス）で構成させてもよい。
【００３７】
導入部２３は、凹形状を呈し、入口管２２に対して凹面が向くように配置されている。よって、入口管２２から導入された塵埃等を含む空気は、凹面の底面に衝突した後、凹面の側面に沿って流れ、旋回路２５に流れ込む。
【００３８】
内筒２４は、外筒２１の径方向の中央に形成され、導入部２３の背面側に位置している。また、内筒２４に形成された貫通孔２４ａからは軽い塵埃が通過する。また、内筒２４の下流端は、集塵ケース４０の底面４０ｂに形成された開口４０ｔと連通している。
【００３９】
旋回路２５は、導入部２３および内筒２４の外側に形成され、空気と塵埃とを遠心力により分離する機能を有している。
【００４０】
連絡路２６は、上流端が旋回路２５と連通し、下流端が蓋部５０に形成された連絡路５１と連通するように構成されている。なお、サイクロン集塵装置１０には、シール部材２６ｓ，５１ｓ，２７ｓが設けられ、気密性を確保するようになっている。すなわち、図６に示すように、シール部材２６ｓは、連絡路２６と開口５０ａ１との間の気密性を確保するためのシール部材（パッキン）であり、シール部材５１ｓは、連絡路５１と蓋部５０との間の気密性を確保するためのシール部材（パッキン）であり、シール部材２７ｓは、開口４０ｔの気密性を確保するためのシール部材（パッキン）である。また、シール部材２６ｓは、塵埃収容部３０内で気密性を確保するために設けられており、シール部材５１ｓ，２７ｓは、塵埃分離部２０と塵埃収容部３０との間での気密性を確保するために設けられている。
【００４１】
このように構成されたサイクロン集塵装置１０では、ホース取り付け口１２（図１参照）から掃除機本体１（図１参照）内に流入した空気および空気と共に吸込まれた塵埃が、入口管２２から導入部２３に導入されると、導入部２３内の正面の壁面に衝突して、旋回路２５に向けて導入され、旋回路２５を旋回する。この旋回による遠心分離作用で空気と塵埃を分離する。遠心分離作用により、外周側の空気には塵埃が多く含まれ、逆に内周側の空気には塵埃が少なくなる。
【００４２】
また、集塵ケース４０には、集塵フィルタ４３が、ヒンジ部４４（図５参照）を中心として開閉可能（回動可能）に設けられている。なお、集塵フィルタ４３は、集塵ケース４０の開口部４０ｆに装着された状態において、その後面が掃除機本体１の図示しない吸気ダクトに当接するようになっている。
【００４３】
なお、集塵フィルタ４３は、プリーツ状に折られたものであり、例えば、高密度のＨＥＰＡフィルタ（High Efficiency Particulate Air Filter）を用いることができる。ＨＥＰＡフィルタは、定格風量で粒径が０.３μｍの粒子に対して９９.９７％以上の粒子捕集率を有し、かつ初期圧力損失が２４５Ｐａ以下の性能を有している。
【００４４】
集塵フィルタ４３の山折りの折り線方向は、縦方向（重力作用方向）であることが好ましい。これは、集塵フィルタ４３よりも下流側（掃除機本体１側）に、集塵フィルタ４３に衝撃を与えて集塵フィルタ４３に堆積した塵埃を除去するための除塵機構が備えられている場合，折り方向が縦方向である方が集塵フィルタ４３に付着した細塵を下方に落下させて除去し易いからである。なお，山折りの折り線方向が斜めに配置されていても構わない。
【００４５】
図６において実線太矢印で示すように、遠心分離後の塵埃を多く含んだ空気は、連絡路２６，５１を通り、蓋部５０の凹部５２の形状に沿って集塵かご４１の開口方向に向きを変え、集塵かご４１に塵埃が堆積する。集塵かご４１を通過した空気は、電動送風機（不図示）内に吸引される。
【００４６】
また、図６において破線太矢印で示すように、塵埃分離部２０の遠心分離作用によって分離できず、内筒２４の貫通孔２４ａを通過した軽い塵埃は、開口２７，４０ｔを通って集塵ケース４０内に入り、集塵フィルタ４３によって捕集される。集塵フィルタ４３を通過した空気は、電動送風機（不図示）内に吸引される。
【００４７】
図７は塵埃収容部の上カバーを上方から見たときの分解斜視図、図８は塵埃収容部の上カバーを下方から見上げたときの分解斜視図である。
図７に示すように、上カバー６０は、略矩形状を呈する第１凹部６０ａを有している。第１凹部６０ａ内の底面の一部には、下方に貫通する貫通孔６０ｂが形成されている。また、第１凹部６０ａ内の左右側面６０ａ１は、内側に向けて若干突出して形成されるとともに、前後方向の中央寄りにハンドル６１を回動可能に支持する軸穴６０ｃが形成されている（左側のみ図示）。
【００４８】
また、軸穴６０ｃよりも後方に位置する側面６０ａ１の上端は、後方に向けて下降するようにテーパ部６０ｄが形成されている。なお、図示省略しているが、右側の側面６０ａ１についても、左側の側面６０ａ１と同様に軸穴およびテーパ部が形成されている。
【００４９】
また、第１凹部６０ａ内の後端部には、幅方向の両側に、上方に突出する略台形状の突出部６０ｅ，６０ｅが形成されている。この突出部６０ｅの上面６０ｅ１は、テーパ部６０ｄと面一となるように後方に向けて下降するように傾斜している。
【００５０】
また、突出部６０ｅと突出部６０ｅとの間には、幅方向の中央に、上方に突出するばね支持部６０ｆが形成されている。このばね支持部６０ｆは、左右方向に幅をもって形成され、幅方向の中央部に後方に向けて突出するばね支持突起６０ｆ１（図１０（ａ）を合わせて参照）が形成されている。
【００５１】
また、第１凹部６０ａ内の後面６０ａ２には、前記ばね支持部６０ｆと対向する位置に、略横長矩形状の貫通孔６０ｇが形成されている。また、ばね支持部６０ｆと突出部６０ｅとの間には、後記する係合突起６４の被押圧部６４ｂが前後方向にスライドするスライド部６０ｈが形成されている。
【００５２】
上カバー６０には、第１凹部６０ａの前方の近傍に、略矩形状の第２凹部６０ｍが形成されている。第２凹部６０ｍの底面６０ｍ１には、幅方方向の中央に圧縮コイルばね６３を支持するガイド突起６０ｎが形成されるとともに、ガイド突起６０ｎの右側近傍に後記するロック解除ピン６２ｃが挿通される貫通孔６０ｐが形成されている。
【００５３】
また、第２凹部６０ｍの左右側面６０ｍ２には、解除ボタン６２が係合する係合孔６０ｑが形成されている。なお、図７では、左側の係合孔６０ｑのみを図示しているが、右側の嵌合孔についても左右対称にして同様に構成されている。
【００５４】
ハンドル６１は、塵埃収容部３０の塵埃を廃棄する際および塵埃収容部３０を掃除機本体１から取り外す際に操作されるものであり、第１凹部６０ａ内に収容可能な形状であり、ハンドル６１が操作されていないときには、上カバー６０の表面とハンドル６１の表面（上面）とが略面一となるように構成されている（図３参照）。また、ハンドル６１は、前板部６１ａ（持ち手部）と、後板部６１ｂと、左右の側板部６１ｃ，６１ｃとで平面視において略矩形状に形成されている（図４参照）。
【００５５】
前板部６１ａは、上板６１ａ１と前板６１ａ２とで構成され、上板６１ａ１の下方に使用者が指を挿入できる空間が形成されている。前板６１ａ２の下端には、前方に突出するフランジ部６１ａ３が幅方向に沿って形成されている。
【００５６】
後板部６１ｂは、上板６１ｂ１と前内板６１ｂ２とで構成され、第１凹部６０ａ内に位置する突出部６０ｅおよびばね支持部６０ｆを上方から覆うように構成されている。
【００５７】
図８に示すように、上板６１ｂ１の下面には、下方に向けて突出する押圧突起６１ｅ，６１ｅが形成されている。この押圧突起６１ｅは、後記する係合突起６４の被押圧部６４ｂと対応する位置に配置されている。
【００５８】
側板部６１ｃは、前板部６１ａと後板部６１ｂとを繋ぐことで、前板部６１ａと後板部６１ｂとの間に、指を挿入するための挿入部６１ｓが形成されている。また、側板部６１ｃ，６１ｃの外面には、軸部６１ｄ，６１ｄが側方に向けて突設され、軸部６１ｄ，６１ｄが前記した軸穴６０ｃに軸支される。
【００５９】
したがって、使用者がハンドル６１の前板部６１ａに指を掛けることにより、塵埃収容部３０が軸部６１ｄを支点として回動するようになっている。このとき、軸部６１ｄより後方の後板部６１ｂは、第１凹部６０ａ内に潜り込むように動作する。
【００６０】
解除ボタン６２は、第２凹部６０ｍ（図７参照）内に収容され、第２凹部６０ｍの開口に沿う形状の操作面６２ａを有している。操作面６２ａの左右両端には、下方（第２凹部６０ｍ）に垂下する係合爪６２ｂ，６２ｂが形成されている。また、操作面６２ａの下面には、下方に長く突出するロック解除ピン６２ｃと、十字状に突出して形成されたガイド突起６２ｄが形成されている。
【００６１】
圧縮コイルばね６３は、第２凹部６０ｍ内に収容され、解除ボタン６２を上方に付勢するものであり、その下端部が前記したガイド突起６０ｎ（図７参照）の環状部に嵌合することで支持され、上端部がガイド突起６２ｄに嵌合することで支持される。なお、解除ボタン６２が操作されていない場合には、圧縮コイルばね６３の付勢力によって、解除ボタン６２が押し上げられるとともに、操作面６２ａと上カバー６０の上面とが面一となる位置において、係合爪６２ｂが係合孔６０ｑに係止される。
【００６２】
図７に戻って、係合突起６４は、後方に向けて延びる係合部６４ａと、係合部６４ａより側方かつ前方に位置する被押圧部６４ｂ，６４ｂと、を有している。
【００６３】
係合部６４ａは、側面視台形状に形成され、前面６４ａ１の幅方向の中央部にばね挿入穴６４ｃが前後方向に沿って形成されている。また、係合部６４ａは、前記貫通孔６０ｇに第１凹部６０ａ内から挿入される。被押圧部６４ｂは、側面視略三角形状を呈し、後上向きのテーパ面６４ｂ１を有し、前記スライド部６０ｈ上に配置される。
【００６４】
圧縮コイルばね６５は、一端が係合突起６４のばね挿入穴６４ｃに挿入され、他端がばね支持突起６０ｆ１に支持され、係合突起６４を貫通孔６０ｇから外側（後方）に付勢するようになっている。
【００６５】
図９は、塵埃収容部の一部分解斜視図である。
集塵ケース４０の上面４０ａは、集塵ケース４０の上部を覆うとともに、蓋部５０の上面を覆うように凸湾曲状に張り出すように形成されている。蓋部５０の上方に位置する上面４０ａには、略四角形状の枠体４５が上方に突設されている。
【００６６】
枠体４５の左右の側面４５ａ，４５ａには、軸受部４５ｂが形成されている。この軸受部４５ｂは、上端が開放するようにしてＵ字状に切り欠かれ、後記するロック部材６６の軸部６６ｃが軸支されるようになっている。また、枠体４５内には後記する圧縮コイルばね６７の一端（下端）を支持するガイド突起４６が突設されている。
【００６７】
ロック部材６６は、左右両端面に軸部６６ｃ，６６ｃが突出して形成された基部６６ａと、この基部６６ａから前方に一体に形成された鉤状の爪部６６ｂとを有している。基部６６ａの上面には、円形状の突起部６６ｄが形成され、基部６６ａの下面には、圧縮コイルばね６７を支持するガイド突起６６ｅが形成されている。
【００６８】
また、ロック部材６６は、前記枠体４５内に収容され、軸部６６ｃ，６６ｃが軸受部４５ｂ，４５ｂに支持されることで、ロック部材６６が回動軸Ｓ２を支点としてシーソー支持されるように構成されている。
【００６９】
なお、枠体４５内の上面４０ａには、前記爪部６６ｂを蓋部５０側に進退させる貫通孔４０ａ１（図１０（ａ）参照）が形成されている。また、上面４０ａの後部は、上方に突出する膨出部４０ａ２を有し、膨出部４０ａ２の内側に、集塵フィルタ４３の上端部が収容されるようになっている（図６参照）。また、集塵フィルタ４３の上部には、集塵ケース４０と集塵フィルタ４３とを掛止する掛止部７０，７０が設けられている。この掛止部７０と集塵フィルタ４３との掛止状態については図示を省略する。掛止部７０は、集塵フィルタ４３を集塵ケース４０に固定させるための形状であり、ヒンジ部４４（図５参照）に回動可能に取り付けられた集塵フィルタ４３を掛止部７０，７０で固定している。
【００７０】
係合突起６４の係合部６４ａは、ハンドル６１が操作されていない場合、圧縮コイルばね６５の付勢力によって上カバー６０の後端面から後方に突出している（図４参照）。これにより、係合部６４ａと、掃除機本体１側に設けられた凹部（不図示）とが嵌合することで、塵埃収容部３０と掃除機本体１とがロックされる。
【００７１】
次に、本実施形態に係る塵埃収容部３０の各動作について図１０ないし図１２を参照して説明する。図１０（ａ）は、図４のＢ−Ｂ線断面図、図１０（ｂ）は図４のＣ−Ｃ線断面図、図１１は蓋部が開放したときの塵埃収容部を図４のＢ−Ｂ線に対応する位置で切断したときの断面図、図１２は蓋部が開放したときの塵埃収容部を図４のＣ−Ｃ線に対応する位置で切断したときの断面図である。
【００７２】
まず、ハンドル６１を操作する前の塵埃収容部３０の状態について説明する。
図１０（ａ）に示すように、塵埃収容部３０が掃除機本体１（図１参照）に装着され（不図示）、ハンドル６１が操作されていない場合には、集塵ケース４０の開口面Ｍ１が蓋部５０によって閉塞されている。
【００７３】
このとき、解除ボタン６２が押下げられていないため、ロック部材６６が圧縮コイルばね６７の付勢力によって軸部６６ｃ（回動軸Ｓ２、図９参照）を支点として反時計回り方向に回動されており、ロック部材６６の爪部６６ｂが貫通孔４０ａ１から下方に突出して被係合突起５６と係合している。これにより、蓋部５０が開放しないようにロックされ、開口面Ｍ１が閉塞している。
【００７４】
また、係合突起６４の係合部６４ａは、圧縮コイルばね６５の付勢力によって付勢され、上カバー６０の後面６０ａ２の貫通孔６０ｇから後方に突出している。このように係合部６４ａが突出しているのは、図１０（ｂ）に示すように、係合突起６４の被押圧部６４ｂが、ハンドル６１に形成された押圧突起６１ｅと離間しているため、圧縮コイルばね６５の付勢力によって係合突起６４が後方に移動しているからである。
【００７５】
なお、蓋部５０によって開口面Ｍ１が閉じられた状態では、塵埃収容部３０の重心Ｇが、図１０（ａ）に示す位置にある。すなわち、塵埃収容部３０の重心Ｇは、ハンドル６１の持ち手部である前板部６１ａとハンドル６１の回動軸Ｓ１との間に位置するように構成されている。
【００７６】
図１１に示すように、ハンドル６１の前板部（持ち手部）６１ａを把持した状態（前板部６１ａに指を掛けた状態）では、回動軸Ｓ１を支点として、集塵ケース４０が反時計回り方向に回動して、回動軸Ｓ１と塵埃収容部３０の重心Ｇとが鉛直方向Ｓａ上に位置するように動作する。これにより、集塵ケース４０の開口面Ｍ１のラインＳｂが鉛直方向Ｓａに対して下向きとなる。なお、図１１では、蓋部５０を開放した状態も合わせて図示しているが、蓋部５０が閉じている場合においても同様に、集塵ケース４０の開口面Ｍ１のラインＳｂが鉛直方向Ｓａに対して下向きとなる。
【００７７】
また、解除ボタン６２を押下げることにより、蓋部５０の被係合突起５６とロック部材６６の爪部６６ｂとの係合状態が解除され、蓋部５０がヒンジ部５４を支点として反時計回り方向に回動し、集塵ケース４０の開口面Ｍ１が開放する。また、このとき、集塵ケース４０内の集塵かご４１がねじりコイルばね４２ａの付勢力によって、下端部の軸４１ｄ（図５参照）を支点として回動しながら開口面Ｍ１から集塵かご４１の一部が突出する。また、集塵かご４１が突出する際、上容器４１ａと下容器４１ｂとが上下に割れる。
【００７８】
これにより、集塵かご４１の上容器４１ａの開放面Ｍ２（図１１参照）のラインＳｃが、開口面Ｍ１のラインＳｂよりもさらに下向きとなる。
【００７９】
また、図１０に示す状態から、塵埃収容部３０のハンドル６１の持ち手部（前板部６１ａ）を上カバー６０に対して回動軸Ｓ１（軸部６１ｄ）を支点として回動するように引き上げると、塵埃収容部３０と掃除機本体１とのロックが解除される。
【００８０】
すなわち、図１２に示すように、掃除機本体１（図１参照）から塵埃収容部３０を取り外す際にハンドル６１を上カバー６０に対して上方へ引き上げると、ハンドル６１が回動軸Ｓ１（図１１参照）を支点として時計回り方向に回動することにより、ハンドル６１の後板部６１ｂが第１凹部６０ａ内に入り込み、上板６１ｂ１が傾斜状態となる。このとき、上板６１ｂ１の下面に形成された押圧突起６１ｅが同時に下方に向けて回動し、押圧突起６１ｅが係合突起６４の被押圧部６４ｂのテーパ面６４ｂ１に当接する。そして、押圧突起６１ｅがさらに下方に向けて回動することにより、押圧突起６１ｅが被押圧部６４ｂのテーパ面６４ｂ１上をスライドし、被押圧部６４ｂの押圧力によって被押圧部６４ｂが圧縮コイルばね６５の付勢力に抗しながら前方へスライドする。このようにして、係合部６４ａが前方へスライド移動することで、係合部６４ａが上カバー６０内に引っ込む。よって、塵埃収容部３０と掃除機本体１との係合状態が解除され、塵埃収容部３０を掃除機本体１から取り外すことができる。
【００８１】
また、ハンドル６１が引き上げられた場合、ハンドル６１のフランジ部６１ａ３が第１凹部６０ａの開口縁部に掛止されることで（図１２参照）、ハンドル６１の回動が規制されるように構成されている。
【００８２】
また、図１１および図１２に示すように、圧縮コイルばね６３（図７参照）の付勢力に抗しながら解除ボタン６２が押し下げられると、ロック解除ピン６２ｃ（図１２参照）が貫通孔６０ｐ（図８参照）内を貫通して下降し、ロック解除ピン６２ｃの先端（下端）がロック部材６６の基部６６ａの上面を押圧する。これにより、圧縮コイルばね６７（図１０参照）の付勢力に抗しながら、回動軸Ｓ２（図９参照）を支点として、ロック部材６６が時計回り方向に回動する（図１２参照）。これにより、爪部６６ｂが持ち上げられて貫通孔４０ａ１内に収納されることで、蓋部５０の被係合突起５６（図１１参照）との係合が解除される。これにより、ねじりコイルばね４２ａの付勢力によって集塵かご４１が集塵ケース４０から押し出されるときの押し出し力を受けて蓋部５０が開放する。
【００８３】
以上説明したように、本実施形態の電気掃除機１００では、塵埃収容部３０が集塵ケース４０と可動式のハンドル６１と開閉式の蓋部５０（蓋部）とを備え、蓋部５０によって閉じられる集塵ケース４０の開口面Ｍ１が集塵ケース４０の塵埃導入方向と略平行であり、蓋部５０によって集塵ケース４０が閉じられているときの塵埃収容部３０の重心がハンドル６１の前板部（持ち手部）６１ａとハンドル６１の回動軸Ｓ１との間に位置している（図１０（ａ）参照）。これによれば、ハンドル６１の前板部（持ち手部）６１ａを手で掛けて持ったときに、重心Ｇが鉛直方向Ｓａ上に位置するように移動することで、集塵ケース４０の開口面Ｍ１を鉛直方向Ｓａに対して下向き（おじぎする向き）にでき、集塵ケース４０内の塵埃を、床面に置かれたごみ箱に廃棄する際の処理が容易になる。つまり、使用者がハンドル６１を持ったときに、開口面Ｍ１が鉛直方向Ｓａに対して自然に下向きになるので、集塵ケース４０の開口面Ｍ１をゴミ箱に意図的に向ける必要がなく、またはごみ箱に向ける角度を小さくできる。
【００８４】
また、本実施形態では、塵埃収容部３０が掃除機本体１に装着されているときに開口面Ｍ１が鉛直方向に対して上向きに設定され（図１参照）、掃除機本体１から取り外されたときに開口面Ｍ１が鉛直方向に対して下向きとなるように構成されている（図１０参照）。これによれば、塵埃収容部３０を掃除機本体１に装着している場合に上向きとすることで、集塵かご４１内に溜まった塵埃が凹部５２や連絡路５１を通って塵埃収容部３０から落下するのを防止することができ、しかも塵埃の廃棄処理が容易になる。
【００８５】
また、本実施形態によれば、集塵ケース４０内に開口面Ｍ１に向けて開放する集塵かご４１が設けられ、開口面Ｍ１が開放したときに、集塵かご４１の開放面Ｍ２が集塵ケース４０の開口面Ｍ１に対してさらに下向きに設定することができる。これによれば、集塵かご４１の開放面Ｍ２（図１１参照）を鉛直方向Ｓａに対して、開口面Ｍ１よりもさらに下向きにすることができるので、集塵かご４１内の塵埃を廃棄する際の処理がさらに容易になる。
【００８６】
また、本実施形態では、塵埃収容部３０は掃除機本体１と係合する係合部６４ａを有し、係合部６４ａは、ハンドル６１の操作に連動して掃除機本体１との係合状態が解除される。これによれば、集塵ケース４０の開口面Ｍ１を下向きにする機能と、掃除機本体１とのロックを解除する機能と、をひとつのハンドル６１で行うことができ、部品点数を削減でき、内部の動作機構を簡略化できる。
【符号の説明】
【００８７】
１      掃除機本体
１０    サイクロン集塵装置
２０    塵埃分離部
２６    連絡路
３０    塵埃収容部
４０    集塵ケース
４１    集塵かご
５０    蓋部
５１    連絡路
５２    凹部
５３    逆止弁
６０    上カバー
６０ａ  第１凹部
６０ｆ  ばね支持部
６０ｆ１  ばね支持突起
６０ｇ  貫通孔
６０ｍ  第２凹部
６１    ハンドル
６１ｄ  軸部
６２    解除ボタン
６４    係合突起
６４ａ  係合部
６４ｂ  被押圧部
６４ｂ１  テーパ面
６４ｃ  ばね挿入穴
６５    圧縮コイルばね
１００  電気掃除機
Ｇ      重心
Ｍ１    開口面
Ｍ２    開放面
Ｓ１    回動軸
【図１】
2013220213.tif 000003
【図２】
2013220213.tif 000004
【図３】
2013220213.tif 000005
【図４】
2013220213.tif 000006
【図５】
2013220213.tif 000007
【図６】
2013220213.tif 000008
【図７】
2013220213.tif 000009
【図８】
2013220213.tif 000010
【図９】
2013220213.tif 000011
【図１０】
2013220213.tif 000012
【図１１】
2013220213.tif 000013
【図１２】
2013220213.tif 000014